(57)【特許請求の範囲】
【請求項１】
複数の構造物と、前記複数の構造物に囲まれた設置スペースと、前記設置スペースに設置されているガスメータとを含むガスメータ設置現場を撮像して得られた画像情報を取得する画像情報取得部と、
前記画像情報から前記設置スペースに対応する設置スペース情報を抽出する設置スペース情報抽出部と、
前記ガスメータに対して交換される新規ガスメータに関する新規ガスメータ情報を取得する新規ガスメータ情報取得部と、
前記設置スペース情報及び前記新規ガスメータ情報に基づいて、前記設置スペースに前記新規ガスメータを設置可能であるか否かを判定する設置可否判定部と、
を備えるガスメータの交換作業支援装置。
【請求項２】
前記設置可否判定部は、前記設置スペース情報及び前記新規ガスメータ情報に基づいて、前記新規ガスメータの外形部が前記設置スペースの外縁部に干渉するか否かを判定する、
請求項１に記載のガスメータの交換作業支援装置。
【請求項３】
複数の前記新規ガスメータの各々について前記設置可否判定部で判定された判定結果の一覧を表示器に表示させるための一覧表示情報を生成する一覧表示情報生成部をさらに備える、
請求項１又は請求項２に記載のガスメータの交換作業支援装置。
【請求項４】
前記設置スペース情報及び前記新規ガスメータ情報に基づいて、前記一覧に含まれる複数の前記新規ガスメータの中から前記設置スペースへの設置が推奨される推奨ガスメータを選定し、前記推奨ガスメータである旨を前記表示器に表示させるための推奨情報を生成する推奨情報生成部をさらに備える、
請求項３に記載のガスメータの交換作業支援装置。
【請求項５】
前記設置可否判定部で前記設置スペースへの設置が可能であると判定された前記新規ガスメータを前記設置スペースに設置した状態のバーチャル画像を表示器に表示させるためのバーチャル画像情報を生成するバーチャル画像情報生成部をさらに備える、
請求項１〜請求項４のいずれか一項に記載のガスメータの交換作業支援装置。
【請求項６】
複数の構造物と、前記複数の構造物に囲まれた設置スペースと、前記設置スペースに設置されているガスメータとを含むガスメータ設置現場を撮像して得られた画像情報を取得する画像情報取得ステップと、
前記画像情報から前記設置スペースに対応する設置スペース情報を抽出する設置スペース情報抽出ステップと、
前記ガスメータに対して交換される新規ガスメータに関する新規ガスメータ情報を取得する新規ガスメータ情報取得ステップと、
前記設置スペース情報及び前記新規ガスメータ情報に基づいて、前記設置スペースに前記新規ガスメータを設置可能であるか否かを判定する設置可否判定ステップと、
を備えるガスメータの交換作業支援方法。
【請求項７】
複数の構造物と、前記複数の構造物に囲まれた設置スペースと、前記設置スペースに設置されているガスメータとを含むガスメータ設置現場を撮像して得られた画像情報を取得する画像情報取得ステップと、
前記画像情報から前記設置スペースに対応する設置スペース情報を抽出する設置スペース情報抽出ステップと、
前記ガスメータに対して交換される新規ガスメータに関する新規ガスメータ情報を取得する新規ガスメータ情報取得ステップと、
前記設置スペース情報及び前記新規ガスメータ情報に基づいて、前記設置スペースに前記新規ガスメータを設置可能であるか否かを判定する設置可否判定ステップと、
をコンピュータに実行させるためのプログラム。
【発明の詳細な説明】
【技術分野】
【０００１】
本発明は、ガスメータの交換作業支援装置、ガスメータの交換作業支援方法及びプログラムに関する。
【背景技術】
【０００２】
例えば都市ガスやＬＰガスは、ガス配管及びガスメータを介して各顧客に供給される。ガスメータについては、計量法により、検定有効期限が定められており、一定期間毎の交換が義務付けられている（例えば、特許文献１参照）。
【０００３】
従来のガスメータの交換作業においては、ガスメータ交換工事の前に、ガスメータ設置現場の事前確認作業が行われる。この事前確認作業は、次の通りである。すなわち、ガスメータ交換工事の前に作業員がガスメータ設置現場を訪れ、このガスメータ設置現場に設置されたガスメータの型式及び号数を確認すると共に、このガスメータが設置されている設置スペースの寸法を測定する。そして、このガスメータの型式及び号数の確認結果と、設置スペースの寸法測定結果とに基づいて、設置スペースに設置可能な新規ガスメータの選定が行われる。
【先行技術文献】
【特許文献】
【０００４】
【特許文献１】特開２０１１−２０２９２６号公報
【発明の概要】
【発明が解決しようとする課題】
【０００５】
しかしながら、例えばガスメータ設置現場がパイプシャフトである場合には、ガスメータ設置現場に給排水管及びガス配管等の複数の構造物が設置されている。したがって、これらの複数の構造物に囲まれた設置スペースの寸法を測定する作業は煩雑である。また、複数の構造物に囲まれた設置スペース自体も、複雑な形状を有している。したがって、この複雑な形状を有する設置スペースに新規ガスメータを設置可能であるか否かを確認する作業も煩雑である。したがって、ガスメータ交換工事前に行われる事前確認作業の効率化が求められる。
【０００６】
本発明は、上記事情に鑑みて成されたものであって、ガスメータ交換工事前に行われる事前確認作業の作業効率を向上させることを目的とする。
【課題を解決するための手段】
【０００７】
本発明の第一態様は、複数の構造物と、前記複数の構造物に囲まれた設置スペースと、前記設置スペースに設置されているガスメータとを含むガスメータ設置現場を撮像して得られた画像情報を取得する画像情報取得部と、前記画像情報から前記設置スペースに対応する設置スペース情報を抽出する設置スペース情報抽出部と、前記ガスメータに対して交換される新規ガスメータに関する新規ガスメータ情報を取得する新規ガスメータ情報取得部と、前記設置スペース情報及び前記新規ガスメータ情報に基づいて、前記設置スペースに前記新規ガスメータを設置可能であるか否かを判定する設置可否判定部と、を備えるガスメータの交換作業支援装置である。
【０００８】
本発明の第二態様は、複数の構造物と、前記複数の構造物に囲まれた設置スペースと、前記設置スペースに設置されているガスメータとを含むガスメータ設置現場を撮像して得られた画像情報を取得する画像情報取得ステップと、前記画像情報から前記設置スペースに対応する設置スペース情報を抽出する設置スペース情報抽出ステップと、前記ガスメータに対して交換される新規ガスメータに関する新規ガスメータ情報を取得する新規ガスメータ情報取得ステップと、前記設置スペース情報及び前記新規ガスメータ情報に基づいて、前記設置スペースに前記新規ガスメータを設置可能であるか否かを判定する設置可否判定ステップと、を備えるガスメータの交換作業支援方法である。
【０００９】
本発明の第三態様は、複数の構造物と、前記複数の構造物に囲まれた設置スペースと、前記設置スペースに設置されているガスメータとを含むガスメータ設置現場を撮像して得られた画像情報を取得する画像情報取得ステップと、前記画像情報から前記設置スペースに対応する設置スペース情報を抽出する設置スペース情報抽出ステップと、前記ガスメータに対して交換される新規ガスメータに関する新規ガスメータ情報を取得する新規ガスメータ情報取得ステップと、前記設置スペース情報及び前記新規ガスメータ情報に基づいて、前記設置スペースに前記新規ガスメータを設置可能であるか否かを判定する設置可否判定ステップと、をコンピュータに実行させるためのプログラムである。
【発明の効果】
【００１０】
本発明によれば、設置スペースの寸法を測定する作業、及び、新規ガスメータが設置スペースに設置可能であるか否かの確認作業が不要になるので、ガスメータ交換工事前に行われる事前確認作業の作業効率を向上させることができる。
【図面の簡単な説明】
【００１１】
【図１】ガスメータの交換作業支援システムの一例を示す図である。
【図２】図１のガスメータの交換作業支援システムの構成を示すブロック図である。
【図３】図２のコンピュータの動作の流れを示すフローチャートである。
【図４】画像情報から設置スペースに対応する設置スペース情報が抽出される一例を説明する図である。
【図５】携帯端末の表示器に表示された一覧の一例を示す図である。
【図６】携帯端末の表示器に表示された一覧の他の例を示す図である。
【図７】携帯端末の表示器に表示されたバーチャル画像の一例を示す図である。
【図８】ガスメータの交換作業支援システムの変形例の構成を示すブロック図である。
【発明を実施するための形態】
【００１２】
以下、図面を参照しながら、本発明の一実施形態について説明する。
【００１３】
図１は、ガスメータの交換作業支援システム１の一例を示す図である。図１に示されるように、このガスメータの交換作業支援システム１は、携帯端末４０と、管理サーバ５０とを備える。
【００１４】
携帯端末４０は、例えば、スマートホン又はタブレット等である。本実施形態では、スマートホンを携帯端末４０の一例とする。管理サーバ５０は、例えばインターネット等のネットワーク２を介して携帯端末４０と通信可能に接続される。
【００１５】
図１に示される作業員６０は、ガスメータ交換工事前に行われるガスメータ設置現場７０の事前確認作業を担当する担当者である。図１では、携帯端末４０を持った作業員６０がガスメータ設置現場７０に到着し、携帯端末４０の撮像機能を用いてガスメータ設置現場７０の撮像を行っている状態が示されている。
【００１６】
ガスメータ設置現場７０は、一例として、パイプシャフトである。このガスメータ設置現場７０は、給排水管及びガス配管等の複数の構造物７２と、この複数の構造物７２に囲まれた設置スペース７４と、設置スペース７４に設置されているガスメータ７６とを有する。
【００１７】
一般に、パイプシャフトは、給排水管及びガス配管等の複数の構造物７２が設置された複雑な構造を有している。したがって、これらの複数の構造物７２に囲まれた設置スペース７４の寸法を測定する作業は煩雑である。また、複数の構造物７２に囲まれた設置スペース７４自体も、複雑な形状を有している。したがって、この複雑な形状を有する設置スペース７４に新規ガスメータを設置可能であるか否かを確認する作業も煩雑である。したがって、ガスメータ交換工事前に行われる事前確認作業の効率化が求められる。
【００１８】
図２は、図１のガスメータの交換作業支援システム１の構成を示すブロック図である。携帯端末４０は、カメラ４２を含む撮像機能と、表示器４４を含む画像表示機能とを有する。管理サーバ５０は、コンピュータ１０と、データベース５２とを有する。
【００１９】
コンピュータ１０は、「ガスメータの交換作業支援装置」の一例である。このコンピュータ１０は、ハードウェアとして、プロセッサ１２及びメモリ１４を備える。プロセッサ１２は、ＣＰＵ（Central Processing Unit）等を有する。メモリ１４は、ＲＯＭ（Read Only Memory）、ＲＡＭ（Random Access Memory）及びストレージ等を有する。
【００２０】
ＲＯＭは、各種プログラム及び各種データを格納する。ＲＡＭは、作業領域として一時的にプログラム又はデータを記憶する。ストレージは、ＨＤＤ（Hard Disk Drive）又はＳＳＤ（Solid State Drive）等により構成され、オペレーティングシステムを含む各種プログラム及び各種データを格納する。ＲＯＭ又はストレージには、ガスメータ交換作業時の支援業務を実行するためのプログラム１６が格納されている。プロセッサ１２は、プログラム１６を読み出し、ＲＡＭを作業領域としてプログラム１６を実行する。
【００２１】
データベース５２は、コンピュータ１０と通信可能に接続されている。このデータベース５２には、ガスメータ７６に対して交換される新規ガスメータに関する新規ガスメータ情報が格納されている。新規ガスメータ情報には、例えば、新規ガスメータの号数、型式及び外形寸法等の情報が含まれる。
【００２２】
また、コンピュータ１０は、機能的な構成として、画像情報取得部２０、設置スペース情報抽出部２２、新規ガスメータ情報取得部２４、設置可否判定部２６、一覧表示情報生成部２８、推奨情報生成部３０、バーチャル画像情報生成部３２及び画像表示情報出力部３４を備える。
【００２３】
この画像情報取得部２０、設置スペース情報抽出部２２、新規ガスメータ情報取得部２４、設置可否判定部２６、一覧表示情報生成部２８、推奨情報生成部３０、バーチャル画像情報生成部３２及び画像表示情報出力部３４は、プロセッサ１２がプログラム１６を実行することにより実現される。
【００２４】
画像情報取得部２０、設置スペース情報抽出部２２、新規ガスメータ情報取得部２４、設置可否判定部２６、一覧表示情報生成部２８、推奨情報生成部３０、バーチャル画像情報生成部３２及び画像表示情報出力部３４は、後述する画像情報取得ステップ、設置スペース情報抽出ステップ、新規ガスメータ情報取得ステップ、設置可否判定ステップ、一覧表示情報生成ステップ、推奨情報生成ステップ、バーチャル画像情報生成ステップ及び画像表示情報出力ステップをそれぞれ実行する機能を有する。
【００２５】
この画像情報取得部２０、設置スペース情報抽出部２２、新規ガスメータ情報取得部２４、設置可否判定部２６、一覧表示情報生成部２８、推奨情報生成部３０、バーチャル画像情報生成部３２及び画像表示情報出力部３４の機能の詳細については、後述するコンピュータ１０の動作と併せて説明する。
【００２６】
次に、コンピュータ１０の動作、すなわち本実施形態に係るガスメータの交換作業支援方法について説明する。
【００２７】
本実施形態に係るガスメータの交換作業支援方法は、上述のコンピュータ１０を用いて実行される。この本実施形態に係るガスメータの交換作業支援方法は、ガスメータ交換工事の前に行われるガスメータ設置現場７０の事前確認作業を支援する方法である。
【００２８】
図３は、図２のコンピュータ１０の動作の流れを示すフローチャートである。図３には、画像情報取得ステップ、設置スペース情報抽出ステップ、新規ガスメータ情報取得ステップ、設置可否判定ステップ、一覧表示情報生成ステップ、推奨情報生成ステップ、バーチャル画像情報生成ステップ及び画像表示情報出力ステップを表すステップＳ１〜ステップＳ８が示されている。
【００２９】
図１に示されるように、作業員６０が携帯端末４０の撮像機能を用いてガスメータ設置現場７０を撮像すると、ガスメータ設置現場７０に設置された給排水管及びガス配管等の複数の構造物７２と、この複数の構造物７２に囲まれた設置スペース７４と、設置スペース７４に設置されているガスメータ７６とを含む撮像画像が撮像され、この撮像画像に対応する画像情報が得られる。この画像情報は、携帯端末４０の通信機能を用いて管理サーバ５０に送信される。
【００３０】
（ステップＳ１：画像情報取得ステップ）
ステップＳ１では、図２に示される画像情報取得部２０で画像情報が取得される。
【００３１】
（ステップＳ２：設置スペース情報抽出ステップ）
ステップＳ２では、画像情報から設置スペース７４に対応する設置スペース情報が設置スペース情報抽出部２２で抽出される。
【００３２】
図４は、画像情報から設置スペース７４に対応する設置スペース情報が抽出される一例を説明する図である。設置スペース情報抽出部２２は、例えば、次の手法により画像情報から設置スペース７４に対応する設置スペース情報を抽出する。
【００３３】
すなわち、設置スペース情報抽出部２２は、画像情報からガスメータ７６の外形部に対応するガスメータ情報を抽出する。続いて、設置スペース情報抽出部２２は、画像情報及びガスメータ情報に基づいてガスメータ７６を囲う複数の構造物７２の内側（ガスメータ７６側）のエッジを特定する。そして、設置スペース情報抽出部２２は、複数の構造物７２の内側のエッジを設置スペース７４の外縁部とし、この設置スペース７４の外縁部の位置及び形状を表す情報を設置スペース情報として画像情報から抽出する。
【００３４】
（ステップＳ３：新規ガスメータ情報取得ステップ）
ステップＳ３では、データベース５２に格納されている新規ガスメータ情報が新規ガスメータ情報取得部２４で取得される。新規ガスメータ情報には、例えば、新規ガスメータの号数、型式及び外形寸法等の情報が含まれる。
【００３５】
なお、このとき、データベース５２に格納されている全ての新規ガスメータ情報が新規ガスメータ情報取得部２４で順次取得されてもよいが、次のようにしてもよい。
【００３６】
すなわち、希望する号数を作業員６０が携帯端末４０に入力し、この号数に対応する号数情報が携帯端末４０からガスメータの交換作業支援装置に送信されてもよい。この号数情報は、新規ガスメータ情報取得部２４で取得される。そして、この号数情報が表す号数の新規ガスメータが新規ガスメータ情報取得部２４で特定され、この新規ガスメータに関する新規ガスメータ情報のみが新規ガスメータ情報取得部２４によってデータベース５２から順次抽出されてもよい。
【００３７】
（ステップＳ４：設置可否判定ステップ）
ステップＳ４では、設置スペース情報及び新規ガスメータ情報に基づいて、設置スペース７４に新規ガスメータを設置可能であるか否かが設置可否判定部２６で判定される。具体的には、設置可否判定部２６は、設置スペース情報及び新規ガスメータ情報に基づいて、新規ガスメータの外形部が設置スペース７４の外縁部に干渉するか否かを判定する。
【００３８】
このとき、設置可否判定部２６は、より具体的には、画像情報に基づいてガスメータ設置現場７０におけるガス配管の位置を特定し、このガス配管に新規ガスメータが接続された状態において、新規ガスメータの外形部が設置スペース７４の外縁部に干渉するか否かを判定する。
【００３９】
（ステップＳ５：一覧表示情報生成ステップ）
ステップＳ５では、複数の新規ガスメータの各々について設置可否判定部２６で判定された判定結果の一覧が一覧表示情報生成部２８で集計される。そして、この集計された一覧を表示器４４に表示させるための一覧表示情報が一覧表示情報生成部２８で生成される。
【００４０】
（ステップＳ６：推奨情報生成ステップ）
ステップＳ６では、設置スペース情報及び新規ガスメータ情報に基づいて、上記一覧に含まれる複数の新規ガスメータの中から設置スペース７４への設置が推奨される推奨ガスメータが推奨情報生成部３０で選定される。そして、推奨ガスメータである旨を表示器４４に表示させるための推奨情報が推奨情報生成部３０で生成される。
【００４１】
このとき、推奨情報生成部３０は、例えば、設置スペース７４に対する新規ガスメータの相対的な大きさを考慮し、設置スペース７４について予め定めた推奨基準よりも大きさが小さい新規ガスメータを推奨ガスメータに選定する。推奨基準は、例えば、新規ガスメータの交換時の作業性等を考慮して予め定められる。
【００４２】
（ステップＳ７：バーチャル画像情報生成ステップ）
ステップＳ７では、設置可否判定部２６で設置スペース７４への設置が可能であると判定された新規ガスメータがバーチャル画像情報生成部３２で特定される。そして、この新規ガスメータを設置スペース７４に設置した状態のバーチャル画像を表示器４４に表示させるためのバーチャル画像情報がバーチャル画像情報生成部３２で生成される。
【００４３】
（ステップＳ８：画像表示情報出力ステップ）
ステップＳ８では、一覧表示情報生成部２８で生成された一覧表示情報、推奨情報生成部３０で生成された推奨情報、及び、バーチャル画像情報生成部３２で生成されたバーチャル画像情報を含む画像表示情報が画像表示情報出力部３４で生成される。そして、この画像表示情報が画像表示情報出力部３４から出力される。
【００４４】
画像表示情報出力部３４から出力された画像表示情報は、管理サーバ５０から携帯端末４０に送信される。携帯端末４０は、管理サーバ５０から送信された画像表示情報を受信すると、この画像表示情報に基づいて表示器４４に画像を表示する。
【００４５】
図５は、携帯端末４０の表示器４４に表示された一覧８０の一例を示す図である。図５に示されるように、携帯端末４０は、画像表示情報を受信すると、この画像表示情報に含まれる一覧表示情報に基づいて一覧８０を表示器４４に表示する。一覧８０には、一例として、ガスメータ設置現場７０に設置可能な新規ガスメータの番号と型式等が表示される。
【００４６】
図６は、携帯端末４０の表示器４４に表示された一覧８０の他の例を示す図である。図６に示されるように、携帯端末４０は、画像表示情報を受信すると、この画像表示情報に含まれる一覧表示情報に基づいて一覧８０を表示器４４に表示すると共に、画像表示情報に含まれる推奨情報に基づいて推奨ガスメータである旨の推奨印８２（一例として星印）を一覧８０の中に表示する。
【００４７】
図７は、携帯端末４０の表示器４４に表示されたバーチャル画像８４の一例を示す図である。携帯端末４０は、画像表示情報を受信すると、この画像表示情報に含まれるバーチャル画像情報に基づいてバーチャル画像８４を表示器４４に表示する。バーチャル画像８４は、設置スペース７４への設置が可能であると判定された新規ガスメータ７８を設置スペース７４に設置した状態を示す画像である。このバーチャル画像８４において、新規ガスメータ７８は、ガスメータ設置現場７０のガス配管７２Ａに接続された状態で表示される。
【００４８】
次に、本実施形態の作用及び効果について説明する。
【００４９】
以上詳述した通り、本実施形態によれば、ガスメータ設置現場７０を撮像して得られた画像情報から設置スペース７４に対応する設置スペース情報が抽出され、この設置スペース情報と、新規ガスメータに関する新規ガスメータ情報とに基づいて、設置スペース７４に新規ガスメータを設置可能であるか否かが判定される。そして、この判定結果は、携帯端末４０の表示器４４に表示される。したがって、設置スペース７４の寸法を測定する作業、及び、新規ガスメータが設置スペース７４に設置可能であるか否かの確認作業が不要になるので、ガスメータ交換工事前に行われる事前確認作業の作業効率を向上させることができる。
【００５０】
また、本実施形態によれば、設置スペース情報及び新規ガスメータ情報に基づいて、新規ガスメータの外形部が設置スペース７４の外縁部に干渉するか否かが判定される。したがって、新規ガスメータが設置スペース７４に設置可能であるか否かを適切に判定することができる。
【００５１】
また、本実施形態によれば、複数の新規ガスメータの各々について設置可否が判定され、この判定結果の一覧を表示器４４に表示させるための一覧表示情報が生成される。そして、携帯端末４０の表示器４４には、一覧表示情報に基づいて一覧８０（図５参照）が表示される。これにより、この一覧８０に基づいて複数の新規ガスメータの中から設置スペース７４に設置可能な新規ガスメータを選定することができるので、新規ガスメータを選定する作業の作業効率を向上させることができる。
【００５２】
また、本実施形態によれば、設置スペース情報及び新規ガスメータ情報に基づいて、一覧８０に含まれる複数の新規ガスメータの中から設置スペース７４への設置が推奨される推奨ガスメータが選定され、この推奨ガスメータである旨を表示器４４に表示させるための推奨情報が生成される。そして、携帯端末４０の表示器４４には、推奨情報に基づいて推奨ガスメータである旨の推奨印８２（図６参照）が表示される。これにより、複数の新規ガスメータの中から設置スペース７４への設置に適した新規ガスメータを選定することができるので、新規ガスメータを選定する作業の作業効率をより一層向上させることができる。
【００５３】
また、本実施形態によれば、設置スペース７４への設置が可能であると判定された新規ガスメータについては、この新規ガスメータを設置スペース７４に設置した状態のバーチャル画像を表示器４４に表示させるためのバーチャル画像情報が生成される。そして、携帯端末４０の表示器４４には、バーチャル画像情報に基づいてバーチャル画像８４（図７参照）が表示される。これにより、バーチャル画像８４に基づいて新規ガスメータ７８が設置スペース７４に設置された状態を確認することができるので、このことによっても、新規ガスメータ７８を選定する際の作業の作業効率を向上させることができる。
【００５４】
次に、本実施形態の変形例について説明する。
【００５５】
図８は、ガスメータの交換作業支援システム１の変形例の構成を示すブロック図である。上記実施形態では、管理サーバ５０が、「ガスメータの交換作業支援装置」の一例であるコンピュータ１０と、データベース５２とを備えるが（図２参照）、図１０に示されるように、管理サーバ５０がデータベース５２を備え、携帯端末４０が「ガスメータの交換作業支援装置」の一例であるコンピュータ１０を備えていてもよい。
【００５６】
このように構成されていても、上記実施形態と同様のガスメータの交換作業支援方法が実現されると共に、上記実施形態と同様の作用及び効果を奏することができる。
【００５７】
また、上記実施形態において、ガスメータ設置現場７０は、一例として、パイプシャフトであるが、複数の構造物７２と、複数の構造物７２に囲まれた設置スペース７４と、設置スペース７４に設置されているガスメータ７６とを含むガスメータ設置現場であれば、パイプシャフト以外でもよい。
【００５８】
また、上記実施形態では、新規ガスメータの外形部が設置スペース７４の外縁部に干渉するか否かを判定することで、設置スペース７４に新規ガスメータを設置可能であるか否かを判定するが、新規ガスメータの外形部が設置スペース７４の外縁部に干渉するか否かを判定すること以外に基づいて、設置スペース７４に新規ガスメータを設置可能であるか否かを判定してもよい。
【００５９】
また、上記実施形態において、一覧８０（図５参照）には、一例として、ガスメータ設置現場７０に設置可能な新規ガスメータのみが表示されるが、設置スペース７４に設置可能であるか否かが判定された全ての新規ガスメータがその判定結果と共に表示されてもよい。
【００６０】
また、上記実施形態では、好ましい例として、一覧８０（図６参照）に、推奨ガスメータである旨（一例として推奨印８２）が表示されるが、推奨ガスメータである旨は、一覧８０とは別に表示されてもよい。
【００６１】
また、上記実施形態では、例えば、携帯端末４０で検索された新規ガスメータについて設置スペース７４に設置可能であるか否かが判定され、この判定結果が表示器４４に表示されてもよい。
【００６２】
また、上記実施形態では、作業員６０によってガスメータ設置現場７０が撮像され、これによりガスメータ設置現場７０の画像情報が得られるが、作業員６０以外の人（例えば、ガスメータ設置現場７０を所有する住人や管理人等）によってガスメータ設置現場７０が撮像され、これによりガスメータ設置現場７０の画像情報が得られてもよい。
【００６３】
なお、上記複数の変形例のうち組み合わせ可能な変形例は、適宜組み合わされて実施可能である。
【００６４】
以上、本発明の一実施形態について説明したが、本発明は、上記に限定されるものでなく、上記以外にも、その主旨を逸脱しない範囲内において種々変形して実施可能であることは勿論である。
【符号の説明】
【００６５】
１  ガスメータの交換作業支援システム
１０  コンピュータ
１６  プログラム
２０  画像情報取得部
２２  設置スペース情報抽出部
２４  新規ガスメータ情報取得部
２６  設置可否判定部
２８  一覧表示情報生成部
３０  推奨情報生成部
３２  バーチャル画像情報生成部
３４  画像表示情報出力部
４０  携帯端末
４２  カメラ
４４  表示器
５０  管理サーバ
５２  データベース
６０  作業員
７０  ガスメータ設置現場
７２  構造物
７２Ａ  ガス配管
７４  設置スペース
７６  ガスメータ
７８  新規ガスメータ
８０  一覧
８２  推奨印
８４  バーチャル画像
【要約】
【課題】ガスメータ交換工事前に行われる事前確認作業の作業効率を向上させることを目的とする。
【解決手段】ガスメータの交換作業支援装置の一例であるコンピュータ１０は、複数の構造物と、複数の構造物に囲まれた設置スペースと、設置スペースに設置されているガスメータとを含むガスメータ設置現場を撮像して得られた画像情報を取得する画像情報取得部２０と、画像情報から設置スペースに対応する設置スペース情報を抽出する設置スペース情報抽出部２２と、ガスメータに対して交換される新規ガスメータに関する新規ガスメータ情報を取得する新規ガスメータ情報取得部２４と、設置スペース情報及び新規ガスメータ情報に基づいて、設置スペースに新規ガスメータを設置可能であるか否かを判定する設置可否判定部２６と、を備える。
【選択図】図２【図１】
0006683898.tif 000002
【図２】
0006683898.tif 000003
【図３】
0006683898.tif 000004
【図４】
0006683898.tif 000005
【図５】
0006683898.tif 000006
【図６】
0006683898.tif 000007
【図７】
0006683898.tif 000008
【図８】
0006683898.tif 000009